(57)【要約】【課題】入力装置を載置する構造に特徴を有する技術を提供する。【解決手段】入力装置４００は、受皿ユニット６の凹部６０２に取り付け可能である。取り付け方法は、以下の通りである。入力装置４００を前方からスライドさせ、両サイドの側面をフック６０８にて仮固定し、底面回転ラッチ６０４及び背面回転ラッチ６０６を利用して入力装置４００を固定する。各回転ラッチの閉め忘れを防止するため、底面回転ラッチ６０４を先に固定させ、閉め忘れがあると、一体扉ユニット４を閉じる際に、内部の部品との干渉が発生し閉鎖できない。底面回転ラッチ６０４は、背面回転ラッチ６０６が固定されるとロックされ、遊技者が操作できない。これにより、機種により異なった入力装置４００を搭載でき、工具等を必要とせずホール環境にて容易に入力装置４００を入れ替え可能であり、遊技者による分解操作は不可となり、各回転ラッチの閉め忘れも回避することができる。【選択図】図２
2020156981.tif 000002
【特許請求の範囲】
【請求項１】
開閉可能な扉部材と、
前記扉部材に設けられた凹部と、
前記凹部に載置可能であり、操作入力を受付可能な入力装置と、
前記凹部の底面と前記入力装置の底面とを固定可能とする底面固定手段と
を備える遊技機。
【請求項２】
請求項１に記載の遊技機において、
前記底面固定手段の固定が解除されることを抑制するとともに、前記凹部の背面と前記入力装置の背面とを固定可能とする背面固定手段を備えることを特徴とする遊技機。
【請求項３】
請求項１又は２に記載の遊技機において、
前記凹部に前記入力装置を載置する際に、前記凹部に対して前記入力装置を仮止めするとともに、前記凹部の側面と前記入力装置の側面とを固定可能とする側面固定手段を備えることを特徴とする遊技機。
【発明の詳細な説明】
【技術分野】
【０００１】
本発明は、遊技を実行する遊技機に関する。
【背景技術】
【０００２】
従来、この種の遊技機として、球受皿の前面においてボタンユニットを着脱可能にし、かつ、不正な交換を防止するための離脱防止手段を備えている遊技機が知られている（例えば、特許文献１）。
【先行技術文献】
【特許文献】
【０００３】
【特許文献１】特開２０１０−６３６３７号公報
【発明の概要】
【発明が解決しようとする課題】
【０００４】
特許文献１では、ボタンユニットを着脱可能にしているが、入力装置を載置する構造に関しては改良の余地がある。
【０００５】
そこで、本発明は、入力装置を載置する構造に特徴を有する技術の提供を課題とする。
【課題を解決するための手段】
【０００６】
本発明は、上記の課題を解決するため以下の解決手段を採用する。なお、以下の括弧書中の文言はあくまで例示であり、本発明はこれに限定されるものではない。また、本発明は、以下の解決手段に示す各発明特定事項を少なくとも１つ含む発明とすることができる。さらに、以下の解決手段に示す各発明特定事項には、発明特定事項を限定する要素を追加して下位概念化することができ、発明特定事項を限定する要素を削除して上位概念化することもできる。
【０００７】
解決手段１：本解決手段の遊技機は、開閉可能な扉部材と、前記扉部材に設けられた凹部と、前記凹部に載置可能であり、操作入力を受付可能な入力装置と、前記凹部の底面と前記入力装置の底面とを固定可能とする底面固定手段とを備える遊技機である。
【０００８】
本解決手段の遊技機は、以下の構成を備えている。
（１）開閉可能な扉部材を備えている。扉部材は、例えば、一体扉ユニットである。
（２）上記（１）の扉部材には、凹部（窪み、収納部）が設けられている。凹部は、遊技球を貯留可能な受皿ユニットに設けられていることが好ましい。ただし、凹部は、受皿ユニット以外の部分（扉部材の一部）に設けられていてもよい。
【０００９】
（３）上記（２）の凹部に載置可能（着脱可能、取付可能）であり、操作入力を受付可能な入力装置を備えている。
【００１０】
（４）上記（２）の凹部の底面と上記（３）の入力装置の底面とを固定可能とする底面固定手段（底面回転ラッチ）を備えている。
【００１１】
本解決手段によれば、凹部の底面と入力装置の底面とを固定可能とする底面固定手段を備えているため、凹部と入力装置とを最も重量がかかる底面で固定することができ、凹部と入力装置とを安定して強固に固定することができ、結果として、入力装置を載置する構造に特徴を有する技術を提供することができる。
【００１２】
解決手段２：本解決手段の遊技機は、上述したいずれかの解決手段において、前記底面固定手段の固定が解除されることを抑制するとともに、前記凹部の背面と前記入力装置の背面とを固定可能とする背面固定手段を備えることを特徴とする遊技機である。
【００１３】
本解決手段では、底面固定手段の固定が解除されることを抑制するとともに、凹部の背面と入力装置の背面とを固定可能とする背面固定手段（背面回転ラッチ）を備えている。
【００１４】
本解決手段によれば、底面固定手段の固定が解除されることを抑制するとともに、凹部の背面と入力装置の背面とを固定可能とする背面固定手段を備えているため、底面と背面の２点で、凹部と入力装置とを安定して強固に固定することができ、結果として、入力装置を載置する構造に特徴を有する技術を提供することができる。
【００１５】
また、本解決手段によれば、背面固定手段は、底面固定手段の固定が解除されることを抑制するため、背面固定手段の固定を解除しなければ、底面固定手段の固定を解除することができないという２重の固定機構を実現することができる。
【００１６】
解決手段３：本解決手段の遊技機は、上述したいずれかの解決手段において、前記凹部に前記入力装置を載置する際に、前記凹部に対して前記入力装置を仮止めするとともに、前記凹部の側面と前記入力装置の側面とを固定可能とする側面固定手段を備えることを特徴とする遊技機である。
【００１７】
本解決手段では、凹部に入力装置を載置する際に、凹部に対して入力装置を仮止めするとともに、凹部の側面と入力装置の側面とを固定可能とする側面固定手段（フック）を備えている。
【００１８】
本解決手段によれば、凹部に入力装置を載置する際に、凹部に対して入力装置を仮止めするとともに、凹部の側面と入力装置の側面とを固定可能とする側面固定手段を備えているため、底面と背面と側面の３点で、凹部と入力装置とを安定して強固に固定することができ、結果として、入力装置を載置する構造に特徴を有する技術を提供することができる。
【００１９】
また、本解決手段によれば、側面固定手段は、凹部に入力装置を載置する際に、凹部に対して入力装置を仮止めするため、入力装置を凹部に載置する際の作業性を向上させることができる。
【発明の効果】
【００２０】
本発明によれば、入力装置を載置する構造に特徴を有する技術を提供することができる。
【図面の簡単な説明】
【００２１】
【図１】実施形態の遊技機１を示す正面図である。
【図２】受皿ユニット６の一部及び入力装置４００を示す斜視図である。
【図３】受皿ユニット６の一部を示す斜視図である。
【図４】受皿ユニット６の一部を示す斜視図である。
【図５】フック６０８の周辺を示す斜視図である。
【図６】一体扉ユニット４に取り付けられた受皿ユニット６の底面の一部を示す図である。
【図７】一体扉ユニット４の裏面に突出するように取り付けられた受皿ユニット６の背面回転ラッチ６０６の周辺を示す図である。
【図８】底面回転ラッチ６０４及び背面回転ラッチ６０６の周辺を示す図である。
【図９】背面回転ラッチ６０６付近の横断面図である。
【図１０】背面回転ラッチ６０６の詳細を示す図である。
【図１１】底面回転ラッチ６０４及び背面回転ラッチ６０６の周辺を示す図である。
【図１２】受皿ユニット６の底面の一部を示す図である。
【図１３】フック６０８の周辺を示す斜視図である。
【図１４】フック６０８の周辺を示す斜視図である。
【図１５】背面回転ラッチ６０６付近の縦断面図である。
【発明を実施するための形態】
【００２２】
〔実施形態〕
以下、本発明の実施形態について、図面を参照しながら説明する。
図１は、実施形態の遊技機１を示す正面図である。
ここで、本明細書では、遊技機１に相対するようにして着席した遊技者から見て左側を左とし、遊技者から見て右側を右とし、遊技者から見て上側を上とし、遊技者から見て下側を下とし、遊技者から見て手前側を前とし、遊技者から見て奥側を後として説明している。
【００２３】
遊技機１（パチンコ機）は、遊技を実行する遊技機であって、遊技媒体としての遊技球を用いて遊技を行うものである。遊技者は、遊技場運営者から遊技球を借り受けて遊技機１にて遊技を行う。
【００２４】
〔全体構成〕
遊技機１は、外枠ユニット２、一体扉ユニット４（開閉可能な扉部材）及び内枠アセンブリ７（プラ枠、遊技機枠、枠部材）を備えている。一体扉ユニット４は、遊技機１の最も前面側に配置されており、一体扉ユニット４の背面側（奥側）には内枠アセンブリ７が配置されており、内枠アセンブリ７の外側を囲むようにして外枠ユニット２が配置されている。
【００２５】
外枠ユニット２は、木材及び金属材を縦長の矩形状に組み合わせた構造体であり、この外枠ユニット２は、遊技場内の島設備（図示されていない）に対してねじ等の締結具を用いて固定される。
【００２６】
一体扉ユニット４には、その下部位置に受皿ユニット６が配置されている。受皿ユニット６は、一体扉ユニット４の前方に設けられ、遊技球を貯留可能なユニットである。一体扉ユニット４及び内枠アセンブリ７は、外枠ユニット２を介して島設備に取り付けられ、これらはそれぞれ図示しないヒンジ機構を介して開閉式に動作する。図示しないヒンジ機構の開閉軸線は、遊技機１の左側端部に沿って垂直方向に延びている。
【００２７】
図１中の正面からみて内枠アセンブリ７の右側縁部には、その内側に不図示の統一錠ユニットが設けられている。また、これに対応して一体扉ユニット４及び外枠ユニット２の右側縁部（裏側）にも、それぞれ図示しない施錠具が設けられている。図１に示すように、外枠ユニット２に対して一体扉ユニット４及び内枠アセンブリ７が閉じた状態で、その裏側にある統一錠ユニットは施錠具とともに一体扉ユニット４及び内枠アセンブリ７の開放を不能にしている。
【００２８】
また、内枠アセンブリ７の右側縁部には鍵穴付きのシリンダ錠６ａが設けられている。例えば、遊技場の管理者が専用キーを鍵穴に差し込んでシリンダ錠６ａを時計回りに捻ると、統一錠ユニットが作動して内枠アセンブリ７とともに一体扉ユニット４の開放が可能な状態となる。これら全体を外枠ユニット２から前面側へ開放する（扉のように動かす）と、前面側にて遊技機１の裏側が露出することになる。
【００２９】
一方、シリンダ錠６ａを反時計回りに捻ると、内枠アセンブリ７は施錠されたままで（内枠アセンブリ７が外枠ユニット２に固定されたままで）、一体扉ユニット４の施錠だけが解除され、一体扉ユニット４が開放可能となる。一体扉ユニット４を前面側へ開放すると図示しない遊技盤ユニットが露出し、この状態で遊技場の管理者が盤面内での球詰まり等の障害を取り除くことができる。なお、一体扉ユニット４を開放すると、受皿ユニット６も一緒に前面側へ移動する。
【００３０】
また、遊技機１は、遊技盤ユニット（遊技盤、遊技用ユニット）を備えており、遊技盤ユニットは、一体扉ユニット４の背後（内側）で内枠アセンブリ７に支持されている。遊技盤ユニットは、一体扉ユニット４を前面側へ開放した状態で内枠アセンブリ７に対して着脱可能である。一体扉ユニット４には、その中央部に縦長形状の窓４ａが形成されており、この窓４ａ内にガラスユニット（参照符号なし）が取り付けられている。ガラスユニットは、窓４ａの形状をカバーできる大きさにカットされた２枚の透明板（ガラス板）を組み合わせたものである。ガラスユニットは、一体扉ユニット４の裏側に図示しない取り付け具を介して取り付けられる。また、遊技盤ユニットの前面には遊技領域が形成されており、この遊技領域は窓４ａを通じて前面側から遊技者に視認可能である。一体扉ユニット４が閉じられると、ガラスユニットの内面と盤面との間に遊技球が流下できる空間が形成される。
【００３１】
遊技盤ユニットには、遊技に必要な要素が配置されており、例えば、普通図柄に対応する始動ゲートや特別図柄に対応する始動入賞口、一般入賞口（他穴入賞口）、電動役物（普通電動役物及び特別電動役物）、図柄表示装置（普通図柄表示装置及び特別図柄表示装置）、統合表示基板、演出表示装置（液晶表示器）等が配置されている。流下した遊技球が始動ゲートや始動入賞口に入球することにより、普通図柄抽選や特別図柄抽選が実行され、抽選結果に応じて特別遊技（大当り遊技、小当り遊技、普通図柄当り遊技等）が実行される。そして、特別遊技によって遊技者は多くの出球を獲得することができる。このような遊技の進行に関する内容は図示しない主制御装置が制御し、演出に関する内容は図示しない演出制御装置が主制御装置からのコマンドに基づいて制御する。
【００３２】
受皿ユニット６は、一体扉ユニット４から前面側へ突出して配置されており、その上面に球皿６ｂが形成されている。この球皿６ｂには、遊技者に貸し出された遊技球（貸球）や入賞により獲得した遊技球（賞球）を貯留することができる。遊技者が借り受けた遊技球は、賞球とは別に裏側の図示しない払出装置ユニットから受皿ユニット６（球皿６ｂ）に払い出される。
【００３３】
受皿ユニット６の上面には図示しない貸出操作部が設けられており、この貸出操作部には、球貸ボタン及び返却ボタンが配置されている。図示しないカードユニットに有価媒体（例えば磁気記録媒体、記憶ＩＣ内蔵媒体等）を投入した状態で球貸ボタンを遊技者が操作すると、予め決められた度数単位（例えば５度数）に対応する個数（例えば１２５個）分の遊技球が貸し出される。また、貸出操作部の上面には図示しない度数表示部が配置されており、この度数表示部には、カードユニットに投入されている有価媒体の残存度数が表示される。なお、遊技者は、返却ボタンを操作することで、度数が残存している有価媒体の返却を受けることができる。
【００３４】
また、受皿ユニット６の上段左側には、図示しない第１球抜きボタンが設置されており、受皿ユニット６の上段右側には、図示しない第２球抜きボタンが設置されている。球皿６ｂが満杯になった場合、第１球抜きボタンや第２球抜きボタンを押し込み操作することで、球抜き孔が開放され、これにより遊技球を遊技機１の下方に流すことができる。第１球抜きボタンや第２球抜きボタンを押し込み操作すると、球皿６ｂに貯留された遊技球は下方に落下し、落下した遊技球は、図示しない球受け箱や遊技球計数装置等に受け止められる。
【００３５】
受皿ユニット６の右下には、ハンドルユニット１６が設置されている。遊技者がこのハンドルユニット１６を操作すると、図示しない発射制御基板セットが作動し、遊技領域に向けて遊技球を発射することができる（発射装置）。発射された遊技球は、遊技盤ユニットの下縁部から左側縁部に沿って上昇し、図示しない外バンドに案内されて遊技領域内に放り込まれる。遊技領域内には多数の障害釘や風車（いずれも図示されていない）等が配置されており、放り込まれた遊技球は障害釘や風車により誘導・案内されながら遊技領域内を流下する。
【００３６】
一体扉ユニット４には、扉ユニット上ランプ４６、扉ユニット左ランプ４８及び扉ユニット右ランプ５０が設置されている。これらのランプは、例えば内蔵するＬＥＤの発光（点灯や点滅、輝度階調の変化、色調の変化等）により光演出を実行する。
【００３７】
一体扉ユニット４には、受皿ユニット６の左側に配置された下部左スピーカ２００や、受皿ユニット６の右側に配置された下部右スピーカ３００、その他のスピーカ（図中参照符号なし）が組み込まれている。これらのスピーカは、効果音やＢＧＭ、音声等（音響全般）を出力して音演出を実行する。
このうち、下部左スピーカ２００及び下部右スピーカ３００は、開口部（音放出口）が遊技者の頭部（特に、耳付近）を向くように上向きに傾斜して配置されている。
【００３８】
受皿ユニット６の中央には、上方に突出するようにして入力装置４００が設置されている。
【００３９】
入力装置４００の中央には、演出切替ボタン４１０が設置されている。演出切替ボタン４１０は、複数種類の操作入力（１回押下、複数回押下、連打、長押し等）を受付可能である。
また、演出切替ボタン４１０の左右には、上下方向に延びた棒状の２つのレバー部材４２０が配置されている。レバー部材４２０は、複数種類の操作入力（１回押し込み、複数回押し込み、長押し等）を受付可能である。
【００４０】
そして、遊技者が入力装置４００を操作することにより、入力信号が演出制御装置に入力される。これにより、演出制御装置は、演出内容（例えば液晶表示器に表示される演出の内容）を切り替えたり、図柄の変動中や大当り遊技中に何らかの演出（予告演出、ボタン押下演出、レバー部材押し込み演出等）を発生させたりする。
【００４１】
次に、図２〜図１５を用いて受皿ユニット及び入力装置の構成、取り付け方法、及び、取り外し方法等を説明する。
図２は、受皿ユニット６の一部及び入力装置４００を示す斜視図である。
受皿ユニット６の中央（下部左スピーカ２００と下部右スピーカ３００との間）には、凹部６０２が配置されている。
凹部６０２には、入力装置４００を載置することができる。入力装置４００は、遊技者による操作入力を受付可能である。
また、凹部６０２の底面には、底面回転ラッチ６０４が設けられており、凹部６０２の背面には、背面回転ラッチ６０６が設けられている。
【００４２】
底面回転ラッチ６０４は、凹部６０２の底面と入力装置４００の底面とを固定可能とする（底面固定手段）。凹部６０２に入力装置４００を載置した状態で、底面回転ラッチ６０４を入力装置４００の方向に押し込み、底面回転ラッチ６０４の先端（例えばＴ字状の先端）と、入力装置４００の底面に設けられた矩形の開口部とを係合させることにより、凹部６０２に対して入力装置４００を固定することができる。
【００４３】
背面回転ラッチ６０６は、底面回転ラッチ６０４の固定が解除されることを抑制するとともに、凹部６０２の背面と入力装置４００の背面とを固定可能とする（背面固定手段）。凹部６０２に入力装置４００を載置した状態で、背面回転ラッチ６０６を入力装置４００の方向に押し込み、背面回転ラッチ６０６の先端（例えばＴ字状の先端）と、入力装置４００の背面に設けられた矩形の開口部とを係合させることにより、凹部６０２に対して入力装置４００を固定することができる。
【００４４】
図３及び図４は、受皿ユニット６の一部を示す斜視図である。
図５は、フック６０８の周辺を示す斜視図である。
図３及び図４に示すように、凹部６０２の側面（左側面及び右側面）には、フック６０８（側面固定手段）が配置されている。
また、図５に示すように、入力装置４００の側面には、板状の固定用板部材４３０（側面固定手段）が取り付けられている。
そして、凹部６０２に対して前方から入力装置４００を押し込むと、フック６０８と固定用板部材４３０とによって、入力装置４００が固定される。
【００４５】
具体的には、フック６０８は、薄板状の矢印形状となっており、第１バネ部材６０７ａによって水平方向の状態を保つように付勢されている。
凹部６０２に対して前方から入力装置４００を押し込むと、フック６０８の先端が下方に倒れ込み、固定用板部材４３０がフック６０８の矢印形状の後端部に引っ掛かるようになっている。
固定用板部材４３０が、フック６０８の矢印形状の後端部に引っ掛かると、第１バネ部材６０７ａの付勢力によって、フック６０８が元に位置に戻る。
これにより、固定用板部材４３０が取り付けられた入力装置４００は、凹部６０２に仮止めされる。
【００４６】
このように、フック６０８は、凹部６０２に入力装置４００を載置する際に、凹部６０２に対して入力装置４００を仮止めするとともに、凹部６０２の側面と入力装置４００の側面とを固定可能とする（側面固定手段）。
【００４７】
次に、入力装置４００の固定方法について説明する。
図６は、一体扉ユニット４に取り付けられた受皿ユニット６の底面の一部を示す図である。
図７は、一体扉ユニット４の裏面に突出するように取り付けられた受皿ユニット６の背面回転ラッチ６０６の周辺を示す図である。
まず、図６に示すように、受皿ユニット６の底面の底面回転ラッチ６０４の一部となるＴ字状の先端（図８の底面回転ラッチ６０４の円柱形状の胴体部分から突出した２つのピン６０５を参照）をバネの付勢力に抗して入力装置４００の底面に設けられた矩形の開口部内に押し込み、底面回転ラッチ６０４を回転させて矩形の開口部と係合させてＴ字状の先端を押し込んだ状態で保持させることで入力装置４００を固定する。
【００４８】
次に、図７に示すように、シリンダ錠６ａ（図１参照）を操作して開放した一体扉ユニット４の裏面から入力装置４００の背面に設けられた矩形の開口部内に背面回転ラッチ６０６の一部となるＴ字状の先端（図１０の背面回転ラッチ６０６の円柱形状の胴体部分から突出した２つのピン６２１を参照）バネの付勢力に抗して入力装置４００の背面に設けられた矩形の開口部内（図１０の開口部６２２参照）に押し込み、背面回転ラッチ６０６を回転させて矩形の開口部と係合させてＴ字状の先端を押し込んだ状態で保持させることで入力装置４００を固定する。
これにより、入力装置４００の底面側と背面側とが固定される。
なお、ロックスライド６１４（図８及び図１１参照）は、背面回転ラッチ６０６の押し込みに基づいて円盤部材６０７を介して前方に移動可能とされ、固定解除の際のバネの付勢力によって後方に移動する復帰を行う。
また、背面回転ラッチ６０６の構造によっては、背面回転ラッチ６０６を一旦反時計回りに回転させてから、時計回りに回転させるようにしてもよい。
【００４９】
〔ラッチ閉め忘れ防止機構〕
図８は、底面回転ラッチ６０４及び背面回転ラッチ６０６の内部構造を示す図である。
図９は、背面回転ラッチ６０６付近の横断面図である。
本実施形態では、ラッチの閉め忘れを防止するため、あえて取り付け順序を固定している。つまり、「底面回転ラッチ６０４→背面回転ラッチ６０６」の順番で固定する必要がある）。
図８に示すように、底面回転ラッチ６０４を閉め忘れた場合、底面回転ラッチ６０４とともに回転するロックハンドルベース６１０も回転しない。
【００５０】
ロックハンドルベース６１０は、一部に切り欠き部６１２を有する円盤状の部材であり、切り欠き部６１２は、底面回転ラッチ６０４を閉めると、反時計回りに回転して、ロックスライド６１４の突起部６１６の方向を向くようになっている。
【００５１】
従って、底面回転ラッチ６０４を閉め忘れた状態で、背面回転ラッチ６０６を閉めようとしても、背面回転ラッチ６０６とともに移動するロックスライド６１４の突起部６１６と、ロックハンドルベース６１０の切り欠き部６１２とが噛み合わない状態となる。
【００５２】
そうすると、図９に示すように、背面回転ラッチ６０６が、後方側に出っ張った状態となり、内枠アセンブリ７の前面下部から前方に向かって突出する内部の部品とぶつかって（例えば、発射機カバー７００と干渉して）、一体扉ユニット４を閉めようとしても、閉まらなくなる。
【００５３】
図１０は、背面回転ラッチ６０６付近を示す図である。
背面回転ラッチ６０６は、トーションバネと圧縮バネの機能が組み合わさったバネ部材６２０によって後方に戻る方向（図中では右下方向）及び初期の回転位置に戻る方向の２方向に付勢されている。背面回転ラッチ６０６を回転させ、入力装置４００の内部に背面回転ラッチ６０６の先端（例えばＴ字状の先端）を押し込み、背面回転ラッチ６０６から手を離すと、バネ部材６２０の付勢力によって背面回転ラッチ６０６が初期の回転位置に戻り、背面回転ラッチ６０６の先端（例えばＴ字状の先端）と、入力装置４００の背面に設けられた矩形の開口部とが噛み合わない状態となる。これにより、ロックがかかり、入力装置４００から背面回転ラッチ６０６が抜けない状態となる。
【００５４】
このようなバネ部材６２０は、底面回転ラッチ６０４の内部にも配置されている。
底面回転ラッチ６０４は、トーションバネと圧縮バネの機能が組み合わさったバネ部材によって下方に戻る方向及び初期の回転位置に戻る方向の２方向に付勢されている。底面回転ラッチ６０４を回転させ、入力装置４００の内部に底面回転ラッチ６０４の先端（例えばＴ字状の先端）を押し込み、底面回転ラッチ６０４から手を離すと、バネ部材の付勢力によって底面回転ラッチ６０４が初期の回転位置に戻り、底面回転ラッチ６０４の先端（例えばＴ字状の先端）と、入力装置４００の底面に設けられた矩形の開口部とが噛み合わない状態となる。これにより、ロックがかかり、入力装置４００から底面回転ラッチ６０４が抜けない状態となる。
【００５５】
背面回転ラッチ６０６を操作していない状態（無操作状態）では、背面回転ラッチ６０６が背面側に飛び出した状態、かつ、時計回りに回転した状態に保持されるため、所定の形状（円形形状と長方形形状を結合させた形状）を有する開口部６２２と干渉して押し込むことができない。
【００５６】
この場合、背面回転ラッチ６０６が出っ張った状態となり、内枠アセンブリ７の前面下部から前方に向かって突出する内部の部品とぶつかって（例えば、発射機カバー７００と干渉して）、一体扉ユニット４を閉めようとしても、閉まらなくなる（図９参照）。
【００５７】
背面回転ラッチ６０６を所定の状態まで回転させると、背面回転ラッチ６０６の円柱形状の胴体部から突出した２つのピン６２１が、開口部６２２を通り抜けるようになり、背面回転ラッチ６０６を入力装置４００の内部の方向に押し込むことができる。背面回転ラッチ６０６は、押し込んだ状態で固定されるものであってもよく、押し込んだ状態で回転前の状態まで戻して固定されるものであってもよい。この点は、底面回転ラッチ６０４についても同様である。
【００５８】
〔遊技者からのラッチ操作不可機構〕
図１１は、底面回転ラッチ６０４及び背面回転ラッチ６０６の周辺を示す図である。
図１２は、受皿ユニット６の底面の一部を示す図である。
図１３及び図１４は、フック６０８の周辺を示す斜視図である。なお、図１４では、バネ部材の図示を省略している。図１４において、第１バネ部材６０７ａ及び第２バネ部材６０７ｂが伸びる様子は、仮想線によって図示している。
【００５９】
図１１に示すように、正しい位置で、底面回転ラッチ６０４と背面回転ラッチ６０６とを閉めると、ロックスライド６１４の突起部６１６と、ロックハンドルベース６１０の切り欠き部６１２とが係合し、底面回転ラッチ６０４及び背面回転ラッチ６０６が固定される。
【００６０】
遊技者は、受皿ユニット６の底面側から、底面回転ラッチ６０４に触ることができるが、底面回転ラッチ６０４及び背面回転ラッチ６０６が固定されている場合、底面回転ラッチ６０４は回転できない状態になる（ロックを解除できない状態になる）。
【００６１】
〔取り外し方法〕
入力装置４００の取り外し方法は、取り付け方法の逆の手順（背面回転ラッチ６０６を外してから底面回転ラッチ６０４を外す手順）となるが、図１２に示すように、受皿ユニット６の底面に配置されているロック解除用板金６３０のつまみ部６３２を盤面側に押すと、フック６０８が外れる構造となっている。
【００６２】
ロック解除用板金６３０のつまみ部６３２を盤面側に押し込むと、ロック解除用板金６３０全体が後方側に移動する。
つまり、図１３に示す状態から、図１４に示す状態のように、ロック解除用板金６３０が後方側に移動する。これにより、フック６０８の側面に配置されたピン６０９が、ロック解除用板金６３０の上端部付近に形成された傾斜面６３０ａによって上方に押し上げられ、フック６０８が回転中心６０８ａを中心に回転し、フック６０８の先端が下方に傾く。
【００６３】
そして、フック６０８の先端が下方に傾くと、固定用板部材４３０（図５参照）の固定が外れ、受皿ユニット６の凹部６０２（図２参照）から、入力装置４００を前方側に引っ張り出すことができる状態となる。
なお、入力装置４００を前方側に引っ張り出すと、第１バネ部材６０７ａの付勢力により、フック６０８は、傾斜した位置から元の水平位置に戻り、ロック解除用板金６３０は、ロック解除用板金６３０を前方側（図１３中左側）に付勢する第２バネ部材６０７ｂの力により、後方に移動した位置から元の位置に戻る。
【００６４】
〔遊技者からのロック解除用板金操作不可機構〕
図１５は、背面回転ラッチ６０６付近の縦断面図である。
図１５に示すように、底面回転ラッチ６０４と背面回転ラッチ６０６とが固定されている状態では、ロック解除用板金６３０のつまみ部６３２は動かない。
つまり、この状態では、背面回転ラッチ６０６の押し込みに基づいて円盤部材６０７を介して前方に移動したロックスライド６１４の突起部６１４ａが、つまみ部６３２を有するロック解除用板金６３０を押し込んでいる状態（ロック解除用板金６３０の大幅な移動を制限している状態）となる。このため、ロック解除用板金６３０のつまみ部６３２を盤面側（図中、右側）に押すことができない状態となっている。
【００６５】
以上説明したように、本実施形態によれば、以下のような効果がある。
（１）本実施形態によれば、凹部６０２の底面と入力装置４００の底面とを固定可能とする底面回転ラッチ６０４（底面固定手段）を備えているため、凹部６０２と入力装置４００とを最も重量がかかる底面で固定することができ、凹部６０２と入力装置４００とを安定して強固に固定することができ、結果として、入力装置４００を載置する構造に特徴を有する技術を提供することができる。
【００６６】
（２）本実施形態によれば、底面回転ラッチ６０４の固定が解除されることを抑制するとともに、凹部６０２の背面と入力装置４００の背面とを固定可能とする背面回転ラッチ６０６（背面固定手段）を備えているため、底面と背面の２点で、凹部６０２と入力装置４００とを安定して強固に固定することができ、結果として、入力装置４００を載置する構造に特徴を有する技術を提供することができる。
【００６７】
（３）本実施形態によれば、背面回転ラッチ６０６は、底面回転ラッチ６０４の固定が解除されることを抑制するため、背面回転ラッチ６０６の固定を解除しなければ、底面回転ラッチ６０４の固定を解除することができないという２重の固定機構を実現することができる。
【００６８】
（４）本実施形態によれば、凹部６０２に入力装置４００を載置する際に、凹部６０２に対して入力装置４００を仮止めするとともに、凹部６０２の側面と入力装置４００の側面とを固定可能とするフック６０８（側面固定手段）を備えているため、底面と背面と側面の３点で、凹部６０２と入力装置４００とを安定して強固に固定することができ、結果として、入力装置４００を載置する構造に特徴を有する技術を提供することができる。
【００６９】
（５）本実施形態によれば、フック６０８は、凹部６０２に入力装置４００を載置する際に、凹部６０２に対して入力装置４００を仮止めするため、入力装置４００を凹部６０２に載置する際の作業性を向上させることができる。
【００７０】
（６）従来、機種ごとに異なる入力装置を使用する場合は、遊技機の本体を新規で開発しなければならず、開発コストや開発期間が非常に多く掛かるという問題がある。また、特に、複数のパーツに分かれた部品（意匠構造物）をホール環境において組み合わせる場合、特別な工具を使用せず容易に組み立てられ、遊技者からは組み立てた部品を分解できないようにし、かつ、容易に破損しない構造にする必要がある。
【００７１】
そこで、本実施形態では、一体扉ユニット４に、入力装置４００の取り付け部（凹部６０２）を設けた構造としている。取り付け方法は、以下の通りである。
（ａ）入力装置４００を前方からスライドさせ、両サイドの側面をフック６０８にて仮固定する。
（ｂ）底面回転ラッチ６０４及び背面回転ラッチ６０６を利用して、入力装置４００を固定する。
（ｃ）底面回転ラッチ６０４及び背面回転ラッチ６０６の閉め忘れを防止するため、底面回転ラッチ６０４を先に固定させる構造となっている。
（ｄ）底面回転ラッチ６０４及び背面回転ラッチ６０６の閉め忘れがあった場合は、一体扉ユニット４を閉じる際に、内部の部品との干渉が発生し閉鎖できないようになっている。
（ｅ）底面回転ラッチ６０４は、背面回転ラッチ６０６が固定されるとロックされ、遊技者が操作できない。
（ｆ）取り外し時は、取り付け時の逆順の操作となるが、仮固定のフック６０８を外すために、入力装置４００の底面に配置されたつまみ部６３２を操作して、フック６０８の固定を解除する。
【００７２】
このような構成を採用することにより、機種により異なった入力装置４００を搭載でき、工具等を必要とせずホール環境にて容易に入力装置４００を入れ替え可能であり、遊技者による分解操作は不可能となり、各回転ラッチの閉め忘れがあった場合にはその事実を容易に把握することができ、遊技者が入力装置４００を取り外すことを防止することができる。
【００７３】
（７）本実施形態では、受皿ユニット６（球受皿）の前方に設けた凹部６０２（凹所）に入力装置４００（受皿の交換アタッチメント）を載置させ、入力装置４００の底面部と凹部６０２の載置面とを合致させて底面回転ラッチ６０４による第１ロックをさせ、第１ロックを解除不能な状態（不正対策）にするよう背面回転ラッチ６０６による第２ロックをさせている。
【００７４】
具体的には、本実施形態では、一体扉ユニット４（前扉）に設けられた突出部であって受皿ユニット６の前方に設けた凹部６０２に入力装置４００を載置させ、凹部６０２における入力装置４００の載置面に設けた底面回転ラッチ６０４（第１固定具、回転ラッチ）を移動（回転）させて入力装置４００の底面部に対するロックを可能としている。
【００７５】
また、本実施形態では、ロックされた底面回転ラッチ６０４の移動を制限させるとともに、入力装置４００の背面部に対するロックを可能とする背面回転ラッチ６０６（第２固定具、回転ラッチ）を凹部６０２における入力装置４００の背面部と対向する内壁面に設けている。
【００７６】
さらに、本実施形態では、凹部６０２に入力装置４００を載置させる際に、凹部６０２の左右の内壁面部に設けたフック６０８によって入力装置４００の左右の側面部が係合して、仮係止のロック状態となるようにしている。
【００７７】
そして、本実施形態の「受皿ユニット６（球受皿）の前方に設けた凹部６０２に入力装置４００を載置させ、入力装置４００の底面部と凹部６０２の載置面とを合致させてロックを行う」という構成は従来文献には開示されていない。
【００７８】
凹部６０２は、受皿ユニット６に配置する例で説明したが、受皿ユニット６以外の部分（例えば、一体扉ユニット４の前面側の一部）に配置してもよい。
【００７９】
本発明は上述した一実施形態に制約されることなく、種々に変形して実施することができる。また、演出例であげた画像はあくまで一例であり、これらは適宜に変形することができる。また、遊技機の構造や盤面構成、具体的な数値等は図示のものも含めて好ましい例示であり、これらは適宜に変形可能である。
【００８０】
上述した実施形態の遊技機は、いわゆるループタイプ（確変回数に実質的な上限を設定しないタイプ）の遊技機としてもよく、ＳＴタイプ（確変回数に実質的な上限を設定するタイプ）の遊技機としてもよい。
【００８１】
上述した実施形態の遊技機は、確変領域を有しない遊技機としてもよく、確変領域を有する遊技機としてもよい。
【００８２】
上述した実施形態の遊技機は、「第１特別図柄及び第２特別図柄の同時回し」を採用していない遊技機としてもよく、同時回しを採用している遊技機としてもよい。
【００８３】
上述した実施形態の遊技機は、設定変更機能を備えている遊技機であってもよく、設定変更機能を備えていない遊技機であってもよい。
【符号の説明】
【００８４】
１  遊技機
４  一体扉ユニット
６  受皿ユニット
７  内枠アセンブリ
４００  入力装置
６０２  凹部
６０４  底面回転ラッチ
６０６  背面回転ラッチ
６０８  フック
【図１】
2020156981.tif 000003
【図２】
2020156981.tif 000004
【図３】
2020156981.tif 000005
【図４】
2020156981.tif 000006
【図５】
2020156981.tif 000007
【図６】
2020156981.tif 000008
【図７】
2020156981.tif 000009
【図８】
2020156981.tif 000010
【図９】
2020156981.tif 000011
【図１０】
2020156981.tif 000012
【図１１】
2020156981.tif 000013
【図１２】
2020156981.tif 000014
【図１３】
2020156981.tif 000015
【図１４】
2020156981.tif 000016
【図１５】
2020156981.tif 000017